(57)【要約】【課題】  例えば、使用性の点で有利なアダプタ装置を提供することを目的とする。【解決手段】  レンズ装置とカメラ装置との間に着脱可能なアダプタ装置は、レンズ装置とカメラ装置との間に着脱可能なアダプタ装置であって、前記レンズ装置と前記カメラ装置とのうち一方からのケーブルが接続される端子部と、前記端子部の配置を可変に前記端子部を支持する支持機構と、を有することを特徴とする。【選択図】  図２
2020197579.tif 000002
【特許請求の範囲】
【請求項１】
レンズ装置とカメラ装置との間に着脱可能なアダプタ装置であって、
前記レンズ装置と前記カメラ装置とのうち一方からのケーブルが接続される端子部と、
前記端子部の配置を可変に前記端子部を支持する支持機構と、
を有することを特徴とするアダプタ装置。
【請求項２】
前記端子部は、前記ケーブルの先端の端子部が接続されることを特徴とする請求項１に記載のアダプタ装置。
【請求項３】
前記支持機構は、前記端子部の配置を選択的に変更可能な構造を有することを特徴とする請求項１または請求項２に記載のアダプタ装置。
【請求項４】
前記支持機構は、前記端子部の配置を選択的に固定する構造を有することを特徴とする請求項１ないし請求項３のうちいずれか１項に記載のアダプタ装置。
【請求項５】
前記レンズ装置と前記カメラ装置とのうち他方をマウントし、かつ該他方との電気的接続を行うための接点を含むマウント部を有することを特徴とする請求項１ないし請求項４のうちいずれか１項に記載のアダプタ装置。
【請求項６】
前記接点は、電源供給のための接点であることを特徴とする請求項５に記載のアダプタ装置。
【請求項７】
前記接点は、通信のための接点であることを特徴とする請求項５に記載のアダプタ装置。
【請求項８】
前記ケーブルは、前記レンズ装置からのケーブルであることを特徴とする請求項１ないし請求項７のうちいずれか１項に記載のアダプタ装置。
【請求項９】
前記ケーブルは、前記カメラ装置からのケーブルであることを特徴とする請求項１ないし請求項７のうちいずれか１項に記載のアダプタ装置。
【請求項１０】
前記支持機構は、１つの軸を中心とする前記端子部の回転角を可変に前記端子部を支持することを特徴とする請求項１ないし請求項９のうちいずれか１項に記載のアダプタ装置。
【請求項１１】
前記支持機構は、複数の軸のそれぞれを中心とする前記端子部の回転角を可変に前記端子部を支持することを特徴とする請求項１０に記載のアダプタ装置。
【請求項１２】
前記支持機構は、１つの軸に沿った前記端子部の位置を可変に前記端子部を支持することを特徴とする請求項１ないし請求項１１のうちいずれか１項に記載のアダプタ装置。
【請求項１３】
レンズ装置と、
カメラ装置と、
前記レンズ装置と前記カメラ装置との間に装着された請求項１ないし請求項１２のうちいずれか１項に記載のアダプタ装置と、
を含むことを特徴とする撮像装置。
【発明の詳細な説明】
【技術分野】
【０００１】
本発明は、アダプタ装置および撮像装置に関する。
【背景技術】
【０００２】
レンズ装置とカメラ装置（撮像装置本体）との間に装着されるアダプタ装置が知られている（特許文献１および２）。カメラ装置内の撮像素子の撮像領域と、交換式レンズ装置のイメージサークルとが互いに整合しない場合や、カメラ装置のマウントと交換式レンズ装置のマウントとが互いに整合しない場合に、カメラ装置とレンズ装置との間に、アダプタ装置が装着されうる。また、インターフェースの整合しないカメラ装置とレンズ装置とを互いに連結して使用可能としたり、レンズ装置のフランジバックの長さを変換したりするのに、アダプタ装置が用いられうる。
【０００３】
なお、カメラ装置とレンズ装置との間のインターフェースは、機械的なもののみでなく、電源供給や通信等の電気接続に係るものも含みうる。カメラ装置とレンズ装置との間の電気的インターフェースには、カメラ側のコネクタとレンズ側のケーブルとを接続する方式や、カメラ側のマウントに設けられた接点とレンズ側のマウントに設けられた接点とを接続する方式など、複数種類の方式がある。電気的インターフェースとして、レンズ側がケーブルのみを有し、カメラ側がマウントにおける電気接点のみを有する場合、アダプタ装置を介して、インターフェースの変換（通信方式の変換を含みうる）を行うのが一般的である。
【先行技術文献】
【特許文献】
【０００４】
【特許文献１】特開２００３−２９５０２６号公報
【特許文献２】特開２０１４−２０４２５５号公報
【発明の概要】
【発明が解決しようとする課題】
【０００５】
特許文献１に記載されるアダプタ装置では、レンズ側のケーブル（のコネクタ）を接続するコネクタの基部（支持部）が固定とされている。そのため、アダプタ装置のコネクタに接続されたケーブルの配置は、固定的となる。それゆえ、そのように配されたケーブルが、カメラ装置とレンズ装置とを含む撮像装置の操作性やアクセサリの選択に影響を及ぼしうる。
【０００６】
本発明は、例えば、使用性の点で有利なアダプタ装置を提供することを目的とする。
【課題を解決するための手段】
【０００７】
上記目的を達成するために、本発明のアダプタ装置は、レンズ装置とカメラ装置との間に着脱可能なアダプタ装置であって、前記レンズ装置と前記カメラ装置とのうち一方からのケーブルが接続される端子部と、前記端子部の配置を可変に前記端子部を支持する支持機構と、を有することを特徴とする。
【発明の効果】
【０００８】
本発明によれば、例えば、使用性の点で有利なアダプタ装置を提供することができる。
【図面の簡単な説明】
【０００９】
【図１】本発明の実施例におけるレンズアダプタ装置のレンズ装置およびカメラへの装着時の視図である。
【図２】本発明の実施例におけるレンズアダプタ装置のレンズ装置装着側からの斜視図である。
【図３】本発明の実施例におけるレンズアダプタ装置のカメラ装着側からの斜視図である。
【図４】本発明の実施例におけるレンズアダプタ装置のハーネスボックス周辺の断面図である。
【図５】本発明の実施例におけるレンズアダプタ装置のコネクタボックスの角度を変更した状態でのレンズ装置装着側からの視図である。
【図６】本発明の実施例におけるレンズアダプタ装置のコネクタボックスの位置を変更した状態でのレンズ装置装着側からの視図である。
【図７】本発明の実施例におけるレンズアダプタ装置の使用状態におけるレンズ装置装着側からの視図である。
【発明を実施するための形態】
【００１０】
以下に、本発明の好ましい実施の形態を、図１〜図６に図示の実施例に基づいて詳細に説明する。
【実施例】
【００１１】
図１は、本実施例におけるレンズアダプタ装置１００を、レンズ装置２００及びカメラ（撮像装置）３００に装着した時の図である。図２、３はそれぞれ、本実施例におけるレンズアダプタ装置のレンズ装置２００装着側、カメラ３００装着側からの斜視図である。本実施例のレンズアダプタ装置１００は、光軸ｏの方向のレンズ装置側（前側）に、レンズ装置２００のマウントと着脱可能に接続されるレンズ装置側マウント１、カメラ側（後側）にカメラ３００のマウントと着脱可能に接続されるカメラ側マウント２が付設される。本実施例のレンズアダプタ装置１００は、レンズ装置とカメラ装置との間に着脱可能なアダプタ装置であって、レンズ装置とカメラ装置とのうち一方からのケーブルが接続される端子部と、端子部の配置を可変に端子部を支持する支持機構と、を有することを特徴とする。前記端子部には、前記ケーブルの先端の端子部が接続される。
【００１２】
レンズ装置側マウント１の回転リング３はカメラ側マウント２とネジ部により結合されており、回転リング３をカメラ側マウント２に対して回動することでカメラ側マウント２との光軸方向の位置を変えることができる。すなわち、支持機構は、１つの軸を中心とする前記端子部の回転角を可変に前記端子部を支持することを特徴とする。レンズ装置２００は、レンズアダプタ装置１００のカメラ側マウント２に設けられたレンズ嵌合部２ａ及び、ピン受け部２ｂにそれぞれレンズマウント嵌合部及び、回転止めピンが嵌合することで位置決めされる。そして、回転リング３を回転させることで、カメラ側マウント２のレンズ突き当て面２ｃと回転リング３とでレンズマウントつば部を挟み込み、レンズ装置２００をレンズアダプタ装置１００に固定している。
【００１３】
レンズアダプタ装置１００は、レンズアダプタ装置１００のカメラ側マウント２に設けられたカメラ嵌合部２ｄ及び、回転止めピン２ｅにそれぞれ、カメラ３００のカメラマウント嵌合部及び、ピン受け部が嵌合することで位置決めされる。そして、カメラ３００のカメラ回転リングを回転させることで、カメラ３００のレンズ突き当て面とカメラ回転リングとでカメラ側マウント部２のつば２ｆを挟み込み固定している。
【００１４】
カメラ側マウント２にはカメラ３００との電気接点であるカメラコネクタ（マウント接点）２１が複数のネジ２２により固定されている。また、カメラ側マウント２には電気制御系を収納したハーネスボックス４が固定されている。ハーネスボックス４には回転継ぎ手５が回転継ぎ手クランプ部５１により、クランプ固定されている。同様に、回転継ぎ手５には曲げ継ぎ手６が曲げ継ぎ手クランプ部６１によりクランプ固定され、曲げ継ぎ手６にはコネクタボックス７が、コネクタボックスクランプ部７１によりクランプ固定されている。このように、ハーネスボックス４からコネクタボックス７が延出した態様で固定されるように構成されている。
【００１５】
図４にレンズアダプタ装置１００のハーネスボックス４周辺の断面図を示す。コネクタボックス７には、レンズ装置２００との電気接点であるレンズコネクタ（端子部）７４がナット７３により固定されている。ハーネスボックス４内部には、制御回路４１が収められており、コネクタボックス７、曲げ継ぎ手６、回転継ぎ手５内部を経由する不図示の配線により、レンズコネクタ７４、制御回路４１、カメラコネクタ２１は電気接続されている。カメラ３００とレンズアダプタ装置１００は、カメラコネクタ２１で電気接続され、また、図示しない撮影レンズのケーブルはレンズコネクタ７４に電気接続される。このように、カメラ３００とレンズ装置２００は、レンズアダプタ装置１００を介して電気接続され、通信を行っている。また、カメラ３００とレンズ装置２００の間にレンズアダプタ装置１００を装着し、カメラ３００の電源を入れると電力をカメラ３００からレンズアダプタ装置１００を介してレンズ装置２００に供給、レンズアダプタ装置１００及びレンズ装置２００の電源が入る。
【００１６】
図５に、コネクタボックス７をハーネスボックス４（基部）に対して、任意の角度傾けた状態のレンズアダプタ装置１００を示す。回転継ぎ手５の回転継ぎ手クランプ部５１を固定している回転継ぎ手止めビス５２を緩め、回転継ぎ手５を、ハーネスボックス４の継ぎ手接続部４２の軸方向を中心に、任意の角度回転し再度回転継ぎ手止めビス５２を締めつける。このようにして、回転継ぎ手５は、ハーネスボックス４に対して任意の傾き（角度）で固定可能である。
【００１７】
曲げ継ぎ手６の曲げ継ぎ手クランプ部６１を固定している曲げ継ぎ手止めビス６２を緩め、曲げ継ぎ手６を、回転継ぎ手５の曲げ継ぎ手回転中心軸５３を中心に、任意の角度回転し再度曲げ継ぎ手止めビス６２を締めつける。このようにして、曲げ継ぎ手６は、回転継ぎ手５に対して、任意の傾き（角度）で固定可能である。
【００１８】
コネクタボックス７のコネクタボックスクランプ部７１を固定しているコネクタボックス止めビス７２を緩め、コネクタボックス７を、曲げ継ぎ手６のコネクタボックス回転中心軸６３を中心に、任意の角度回転し再度コネクタボックス止めビス７２を締めつける。このようにしてコネクタボックス７は、曲げ継ぎ手６に対して、任意の傾き（角度）で固定可能である。
【００１９】
上記の構成とすることで、これら３ヶ所の角度変化を組み合わせ、コネクタボックス７を、ハーネスボックス４（基部）に対して、任意の方向、角度に傾けた姿勢で、ユーザはレンズアダプタ装置１００を固定して使用できる。すなわち、本発明の支持機構は、複数の軸のそれぞれを中心とする前記端子部の回転角度を可変に前記端子部を支持することを特徴とする。
【００２０】
また、図６にコネクタボックス７とハーネスボックス４の距離を任意の距離離した状態のレンズアダプタ装置１００を示す。回転継ぎ手５は、回転継ぎ手クランプ部５１を固定している回転継ぎ手止めビス５２を緩め、継ぎ手接続部４２の長手方向の任意の位置で、再度回転継ぎ手止めビス５２を締めつけることで、ハーネスボックス４に対して、任意の距離離した位置で固定可能である。この固定位置変化により、コネクタボックス７を、ハーネスボックス４に対して、任意の距離だけ離した状態で、ユーザはレンズアダプタ装置１００を使用できる。
【００２１】
図７に、本実施例のレンズアダプタ装置１００をレンズ装置２００、カメラ３００に取り付けて使用する際に、コネクタボックス７をハーネスボックス４に対して傾けた状態の一例を示す。図７に示すように、ユーザはコネクタボックス７の姿勢を変更することで、領域８０からレンズコネクタ７４を退避させ、ハーネスボックス４に対して近付け、レンズアダプタ装置１００の長手方向の幅をコンパクトにすることができる。すなわち、本実施例の構成とすることで、レンズアダプタ装置１００、レンズ装置２００、カメラ３００を含めた撮影システム全体を小型化し、撮影の作業性を向上できる。また、撮影システムで採用されるレンズ装置やカメラ、アクセサリの形状に合わせて、コネクタボックス７の姿勢、位置をユーザが任意に設定可能であるため、撮影機材の選択自由度を拡大可能となる。
【００２２】
本実施例では、コネクタボックスの角度変更手段をクランプ固定構造とし、任意の角度で固定可能としたが、この限りではない。例えば、角度変更手段内部に、プランジャ構造を設ける等の手段により、角度を選択的に変更可能としても、本発明のレンズアダプタ装置の作用効果を享受できる。
【００２３】
上記の実施例では、カメラ装置と電気接続を行うケーブルを備えたレンズ装置と、レンズ装置と電気的接続を行う接点を備えるマウントを有するカメラ装置との間に装着されるレンズアダプタ装置を例示して説明したが、本発明はそれに限定されることはない。本発明のレンズアダプタ装置は、レンズ装置とカメラ装置の一方が、電気的接点を有するマウントを有し、該マウントを介して電気的に接続して情報通信または電源供給を行う装置である。さらに、レンズ装置とカメラ装置の他方が、ケーブルを介して電気的に接続して情報通信または電源供給を行う装置である。その場合に、該レンズ装置と該カメラ装置との間での電気的に接続して情報通信または電源供給を行うことを可能とする。すなわち、レンズ装置と電気接続を行うケーブルを備えたカメラ装置と、カメラ装置と電気的接続を行う接点を備えるマウントを有するレンズ装置との間に装着されるレンズアダプタ装置にも同様に本発明は適用可能である。
【００２４】
以上、本発明に好ましい実施形態について説明したが、本発明はこれらの実施形態に限定されず、その要旨の範囲内で種々の変形および変更が可能である
【符号の説明】
【００２５】
５：回転継ぎ手
６：曲げ継ぎ手
２１：カメラコネクタ（マウント接点）
７４：レンズコネクタ（端子部）
１００：レンズアダプタ装置
【図１】
2020197579.tif 000003
【図２】
2020197579.tif 000004
【図３】
2020197579.tif 000005
【図４】
2020197579.tif 000006
【図５】
2020197579.tif 000007
【図６】
2020197579.tif 000008
【図７】
2020197579.tif 000009